(57)【要約】本発明は、特に重大な機能障害、例えば脳性麻痺を持つ子供に使用することを目的とした人体支持装置に関する。本発明による装置は、水平の地面の上に乗せることを目的としたベースユニット（１）、このベースユニット（１）から延びる細長いほぼ直立のエレメント（５）、この直立エレメント（５）に取り付けられた骨盤サポート（１０）、および、直立エレメント（５）の上に設けられた胸部サポート（１５）を具備し、前記骨盤サポート（１０）が、本装置を使用する人間のウェスト部分を取り囲む手段（１２、１３）を具備し、前記胸部サポート（１５）が直立エレメント（５）に沿って変位でき、装置を使用する人間の胸部を取り囲む手段（１７、１８）を具備することを特徴とする。
2006510443.tif 000002
【特許請求の範囲】
【請求項１】
水平の地面の上に乗せることを目的としたベースユニット（１）、該ベースユニット（１）から延びる細長いほぼ直立のエレメント（５）、該直立エレメント（５）に取り付けられた骨盤サポート（１０）、および、使用者の骨盤を取り囲む手段（１２、１３）を具備する人体支持装置であって、
直立エレメント（５）の上にシート（２２）が設けられており、直立エレメント（５）が弾性手段（７）を具備することを特徴とする装置。
【請求項２】
直立エレメント（５）の上に胸部サポート（１５）が設けられており、該胸部サポート（１５）が直立エレメント（５）に沿って変位でき、装置を使用する人間の胸部を取り囲む手段（１７、１８）を具備することを特徴とする、請求項１に記載の装置。
【請求項３】
直立エレメント（５）の上に脚仕切り（２１）が設けられており、シート（２２）が脚仕切り（２１）と一体であることを特徴とする、請求項１または請求項２に記載の装置。
【請求項４】
直立エレメント（５）の上にヘッドレスト（２０）が設けられており、該ヘッドレスト（２０）が直立エレメント（５）に沿って変位できることを特徴とする、先行請求項の一以上に記載の装置。
【請求項５】
ベースユニット（１）が車輪（３）によって支えられることを特徴とする、先行請求項の一以上に記載の装置。
【請求項６】
骨盤サポート（１０）が、ほぼ湾曲した形状を持つ第１の支持エレメント（１１）、該第１の支持エレメント（１１）の連結されたストラップ（１２）、および、第１の支持エレメント（１１）の短尺側に取り付けられたネット（１４）を具備することを特徴とする、先行請求項の一以上に記載の装置。
【請求項７】
第１の支持エレメント（１１）が、ねじれに強いたわみ性材料、好ましくはプラスチック樹脂から作られていることを特徴とする、請求項６に記載の装置。
【請求項８】
ネット（１４）があらゆる方向において低い弾性を有することを特徴とする、請求項６または請求項７に記載の装置。
【発明の詳細な説明】
【技術分野】
【０００１】
本発明は、特に重大な機能障害、例えば脳性麻痺を持つ子供に使用することを目的とした人体支持装置に関する。
【背景技術】
【０００２】
主に脳性麻痺を持つ子供を対象とする従来の人体支持装置は、直立型シェルとして知られており、基本的に子供の足関節から頭部まで延びる成型プラスチックシェルからなる。シェルは基本的に子供の身体の背側をカバーし、子供はベルトなどで直立型シェルに締め付けられる。シェルは、個々別々に注型されるプラスターを使ってプラスチック樹脂型で成型されるが、これは脳性麻痺患者に緊張を強いるため、患者は、プラスター注型工程の間ずっと横臥していなければならない。子供が成長してシェルの大きさを超えれば、そのシェルは使用できなくなる。子供の身体がプラスチックシェルにぴったりしてくるにつれて、皮膚は十分な程度に呼吸できなくなってくる。この問題を解決する試みのひとつが、シェルに通気穴をあけることであったが、これは皮膚を十分に冷やすまでに至らなかった。
【０００３】
従来公知の直立型シェルの更なる欠点は、剛性設計のゆえに下肢、すなわち足を運動ができないことである。
【発明の開示】
【発明が解決しようとする課題】
【０００４】
本発明の主たる目的は、冒頭に挙げた種類の人体支持装置、そして、この人体支持装置を使用する人間のサイズに合わせる点で極めて融通性に富む装置を提供することである。
【０００５】
本発明の別の目的は、人体支持装置を使用する人間に支持力を時々刻々合わせていくことである。
【０００６】
本発明の更なる目的は、人間が立っているときでも座っているときでも使用できる人体支持装置を提供することである。
【０００７】
本発明のなおも別の目的は、人体支持装置が、独立した望み通りの動作、例えばジャンプを許容し、また、独立した運動を許容するものとすることである。
【課題を解決するための手段】
【０００８】
少なくとも本発明の主たる目的は、下記の独立請求項1に記載の特徴を備えた装置によって実現させられる。本発明の好ましい実施態様が従属請求項によって限定される。
【発明を実施するための最良の形態】
【０００９】
以下、本発明の一実施例を添付図面に則して詳細に説明する。
図１〜３に示した本発明による装置は、ベースユニット１、ベースユニット１を地面の上で支える４個の車輪、および直立エレメント５を具備し、図示した実施例では、これがベースユニット１に係留され、ベースユニット１の主平面に対してほぼ垂直に延びる支柱５からなる。車輪は、好ましくは旋回輪３からなり、その結果、ベースユニット１が地面上で様々な方向に容易に移動できることになる。装置を地面に関して静止した状態にするために、旋回輪にとってはロック可能であるのが好適である。
【００１０】
支柱は弾性部材７を具備し、図示した実施例では、これがガスばねからなる。支柱５はたわむようにベースユニット１に取り付けられていて、ベースユニット１に相対する支柱５の広がりが変えられるようになっている。すなわち、その広がりは、支柱の呼び位置を限定するが、その垂直位置からはずれてもよい。
【００１１】
図１を見て分かる通り、ベースユニット１は概して長細い形をなし、ベースユニットの長尺側に凹部９が配置されている。凹部９は、本発明による装置を使用する人間が容易に床／地面に到達できるようにするために設けられている。これについては、以下に詳述する。
【００１２】
本発明による装置は、更に、支柱５に取り付けられた骨盤サポート１０を具備し、このサポートが、本発明による装置を使用する人間に個別に適合させるために支柱５に沿って変位できるようになっている。骨盤サポート１０は、たわみ性であるが、ねじれに強い材料、例えば適当なプラスチック樹脂で作られた第１の支持エレメント１１からなる。第１の支持エレメント１１は、湾曲バンドの一般的形状を持ち、そのカーブが、第１の支持エレメント１１で受け止められる使用者の身体部分にほぼ合っている。骨盤サポート１０は更に、第１の支持エレメント１１に締め付けられた２つの部分からなるストラップ１２を具備し、これにより、前記部分が、第１のバックル１３によって、本発明による装置を使用する人間の身体に巻き付けられるようになっている。
【００１３】
第１の支持エレメント１１には、ネット１４が図４に示した仕方で設けられている。図１〜３には、ネット１４は図示されていない。ネット１４は、ここでバンド形状の湾曲した第１の支持エレメント１１に張られており、これにより、無負荷状態においてネット１４は図４に示した位置を占める。ネット１４を第１の支持エレメント１１の短尺側に張るについては多数の方法が可能であり、一例を挙げると、前記短尺側の各々にエッジストリップを押し当てる方法が可能である。こうすることにより、ネット１４はエッジストリップと第１の支持エレメント１１の間に固定される。ネット１４は、あらゆる方向において相対的に外力の影響を受けないのが望ましく、吸湿性の低いのが望ましい。
【００１４】
図５は、ネット１４が部分負荷をかけられた位置にあるときの第１の支持エレメント１１を示し、ここで、ネット１４と第１の支持エレメントの両方ともある程度変形している。すなわち、ネットはある一定の曲率を有し、第１の支持エレメント１１の方は、図４と比べて曲率が変えられている。
【００１５】
図６は、ネット１４が全負荷をかけられた位置にあるときの第１の支持エレメント１１を示す。このとき、ネット１４は部分負荷のときより第１の支持エレメント１１に密着しており、第１の支持エレメントの方は、図５に示した位置と比べて曲率半径が小さくなっている。それでもなお、ネット１４と第１の支持エレメント１１の間に隙間があり、この隙間を通して身体の熱を逃がすことができる。
【００１６】
本発明による装置はまた、骨盤サポート１０の上方に配置された胸部サポート１５も具備し、これが、支柱５に取り付けられ、本発明による装置を使用する人間に個別に適合するように支柱５に沿って変位できるようになっている。前記胸部サポート１５は、ほぼ湾曲した形状を持つ第２の支持エレメント１６を具備し、そのカーブが、第２の支持エレメント１６で受け止められる使用者の身体部分にほぼ合っている。胸部サポート１５は更に、第２の支持エレメント１６に装着された２つのたわみ性部分からなるガードル１７を具備し、これにより、前記部分が、第２のバックル１８によって、本発明による装置を使用する人間の身体に巻き付けられるようになっている。
【００１７】
第２の支持エレメント１６は、ネットを第１の支持エレメント１１とほぼ同様の仕方で備え付けてよい。このネットは図１〜３に図示されていない。第２の支持エレメント１６とネットとの協働の仕方は、基本的に、図４〜６に則して上で述べたのに相当する。
【００１８】
本発明による装置はまた、ほぼ半円リングの形状を持ち、支柱５に沿って変位できるヘッドレスト２０も含む。この作りにより、ヘッドレスト２０は、本発明による装置を使用する人間の後頭部をぐるりと支えるように調整することができる。ヘッドレストは、好ましくは、適当な形の詰め物を入れ、これで頸部を支える。
【００１９】
図１〜３に示した実施例では、本発明による装置はまた、支柱５に取り付けられた、この支柱から延びるブラケットの一般的形状を持つ脚仕切り／シート２１も具備する。脚仕切り／シート２１は、本発明による装置を使用する人間に個別に適合するように支柱５に沿って変位できるようになっている。図示した実施例では、脚仕切り／シート２１は、プレートの一般的形状を持ち、少なくともその自由端の領域においてその厚みが脚仕切り／シート２１の高さより小さい。脚仕切り／シート２１の上側に、シート２２が、本発明による装置を使用する人間の座位を支える目的で形成されている。図３から分かる通り、シート２２は、脚仕切り／シート２１の上側の支え部分と比べて幾らか低い位置にある。
【００２０】
図７および８は、図１〜３に示した本発明による装置の使い方を示す。ここで、使用者は、自分の座位がシート２２によって支えられ、脚が脚仕切り２１の各々の側に置かれ、足が凹部９の中に置かれるような具合に自身を置いている。図７および８に示した位置にあるとき、足は地面と接している。骨盤サポート１０は活動している。すなわち、使用者の下背部が骨盤サポート１０のネット１４と接しており、ストラップ１２が第１のバックル１３を介して使用者の骨盤のまわりを締めている。骨盤サポート１０が活動状態にあるとき、第１の支持エレメント１１とネット１４は、上で述べた通りの仕方で協働する。
【００２１】
図７および８で見られる通り、胸部サポート１５も活動しており、これにより、使用者の上背部は第２の支持エレメント１６と接している。この第２の支持エレメントは、内側にネットを備えていてもよい。ガードル１７は、第２のバックル１８を介して使用者の胸部のまわりを締めている。支持エレメント１６がネットを備えている場合、その協働は、骨盤サポート１０の場合と同じ仕方で行われる。
【００２２】
図７および８で見られる通り、ヘッドレスト２０は使用者の後頭部を支え、そこで必要なサポートを提供する。これに関連して注目すべきは、重大な機能障害を患う人間がしばしば自分の頭部を支える助けを必要とすることである。
【００２３】
地面に自分の足で立つことができるように脚仕切り／シート２１の高さを調節することにより、その人間は、立ち上がり、ジャンプ動作を実行できるようになる。ばね７があることにより、その人間は、立っているときでも脚仕切り／シート２１の上に座っているときでも、垂直に揺れ動く動作を行うことができる。全体として言えることは、その人間が脚仕切り／シート２１の上に座っているとき、本発明による装置が基本的に椅子のように機能するということであり、これは、その人間がひとつテーブルを囲んで着席するような場に参加できることを意味する。こうした場面では、旋回輪３をロックし、装置を床の上で動かないようにするのが好ましい。旋回輪３のロックを解除すれば、機能障害がある人間でも、足を降ろして床の上を移動することができる。
【００２４】
図７および８から、骨盤サポート１０、胸部サポート１５およびヘッドレスト２０の高さ調節を通して成長する使用者への適合が可能であることが分かる。支柱５に沿って変位できる骨盤サポート１０、胸部サポート１５およびヘッドレストが、適当なロック装置、例えばトグルファスナーによって任意の高さで支柱５に固定できることは、容易に理解できよう。骨盤サポート１０と胸部サポート１５にネットがあることにより、これらサポートは、支持すべき人間の当該身体部分の変化にある程度まで適合させることができる。当然のことながら、個別に最高の適合を可能にするためには、本発明による装置の各部コンポーネントが多様なサイズで利用できることが必要であろう。
【００２５】
上で述べた本発明による装置は、脚仕切り／シート２１を具備する。しかしながら、本発明の範囲内で、脚仕切り／シート２１を無くし、装置を単に起立サポートとして利用することも考えられる。
【００２６】
上で述べた実施例では、本発明による装置を使用する人間が自分の足で地面に立てるようにするために、ベースプレート１が凹部９を備えている。しかしながら、本発明の範囲内で、凹部９を無くし、本発明による装置を使用する人間の足のためのアタッチメントをベースプレート１に備え付けることも考えられる。これにより、装置を使用する人間は、例えばジャンプしたい場合、より容易に足をベースプレート１に押し付けることが可能となる。装置をこのような仕方で使用するときは、旋回輪をロックし、外部からの助けなしには装置が動かせないようにすることが好ましい。
【図面の簡単な説明】
【００２７】
【図１】本発明による装置の一実施例の斜視図である。
【図２】図１に示した装置の正面図である。
【図３】図１に示した装置の側面図である。
【図４】ネットを付けて装置の中に入れられたシェルの基礎図である。
【図５】図４によるシェルのネットに部分負荷をかけた状態を示す。
【図６】図４によるシェルのネットに全負荷をかけた状態を示す。
【図７】本発明による装置を使用する人間を共に描いた装置の基礎図である。
【図８】図７に示した装置の側面図である。
【図１】
2006510443.tif 000003
【図２】
2006510443.tif 000004
【図３】
2006510443.tif 000005
【図４】
2006510443.tif 000006
【図５】
2006510443.tif 000007
【図６】
2006510443.tif 000008
【図７】
2006510443.tif 000009
【図８】
2006510443.tif 000010
【国際調査報告】
2006510443.tif 000011
2006510443.tif 000012
2006510443.tif 000013